(57)【要約】      （修正有）【課題】蛍光灯型のＬＥＤランプにおいて、故障しやすい電源供給回路をランプ本体の外部に配し、必要に応じランプ本体から分離し、容易に当該部のみの交換を可能としたＬＥＤランプを提供する。【解決手段】透明材料で形成された管状体であるチューブ１０と、該チューブ１０内に設置されて一側面に複数のＬＥＤ２１が並列するように設けられ、該チューブ１０の両端部を通り突出する二つの接続端子２２が両側に設けられた回路板２０と、該チューブ１０の両端部に嵌合されて断面がコ字形を呈する二つのキャップ３０と、該キャップ３０内に取付けられて、内側に一組の内部コネクタ４２を具え、外側に外部コネクタ４１を具え、該外部コネクタ４１が該キャップ３０を通り突出する電源供給回路４０とにより構成する。【選択図】図１
0003154200.tif 000002
【実用新案登録請求の範囲】
【請求項１】
透明材料で形成された管状体であるチューブと、
該チューブ内に設置され、一側面に複数のＬＥＤが並列するように設けられ、該チューブの両端部を通り突出する二つの接続端子が両側に設けられた回路板と、
該チューブの両端部に可動式に嵌合された二つのキャップと、
該キャップ内に取付けられて、内側に一組の内部コネクタを具え、外側に外部コネクタを具え、該外部コネクタが該キャップを通り突出する電源供給回路と、
を包含したことを特徴とする、ＬＥＤランプ。
【請求項２】
請求項１記載のＬＥＤランプにおいて、該キャップの断面がコ字形を呈することを特徴とするＬＥＤランプ。
【請求項３】
請求項１記載のＬＥＤランプにおいて、該キャップと該チューブの両端の接合が緊迫嵌合によることを特徴とするＬＥＤランプ。
【請求項４】
請求項１記載のＬＥＤランプにおいて、該キャップと該チューブの両端の接合が螺合によることを特徴とするＬＥＤランプ。
【考案の詳細な説明】
【技術分野】
【０００１】
本考案は一種のＬＥＤランプに係り、特に一種の蛍光ランプ型のＬＥＤランプの構造に関する。
【背景技術】
【０００２】
発光ダイオード（ＬＥＤ）が大量に使用されるようになって、照明設備は目ざましい発展を遂げた。密集したＬＥＤを照明器具の光源として使用する時は、充分な輝度を得るため、パワーの強いＬＥＤを数多く使用する必要があり、ゆえに発生する熱も多く、このため内部の電源供給回路の故障率も高くなり、また、ＬＥＤランプの寿命も短くなった。
【０００３】
周知のＬＥＤランプは透明なチューブの内部に回路板が設けられ、その側面はチューブの照明面とされ、該回路板の別側面にランプに必要な電源供給回路、例えばスタータ、コンデンサ及びその他の電子部品が設けられ、並びにチューブの二側にピンが凸設されてソケットとの接続に供される。
【考案の概要】
【考案が解決しようとする課題】
【０００４】
上述の周知の構造はまだ理想的なものでなく、ゆえに使用上及び製造上、以下のような欠点を有する。
１．ランプが比較的大きな照明空間を有するようにするため、内部の回路板を一側に偏って設置する必要があるが、このため該回路板の背面と内壁間の距離が短くなり、後方の電源供給回路を収容できなくなったり、あるいは太い管径のチューブを使用しなければならないためにＬＥＤランプをそれ以上細くすることができなくなったりし、これはランプ内部の部品分配が不良であることによるもので、このために品質も向上できず、以上が周知の構造の主要な欠点である。
２．照明用のランプ内のＬＥＤは、パワーが比較的強いものを使用しなければならず、このため、発生する熱も多くなり、内部の電源供給回路の故障率も高くなり、また、ＬＥＤランプの使用寿命も短くなる。
３．以上により、ＬＥＤランプの故障は、ほとんどが耐熱性の低い電源供給回路の故障であり、内部のＬＥＤの大半は損壊していないものである。しかし、輝度が高いＬＥＤを使用し、その寿命が未だ尽きてないときに、チューブと共に廃棄してしまうことは、浪費を形成し、また、ゴミを増やす。ゆえに周知のＬＥＤランプは環境保護に符合せず、資源を浪費しコストがかかり、これもまた周知の構造の欠点である。
【０００５】
本考案は現在のＬＥＤランプが未だ充分な進歩を遂げておらず、且つ多くの使用上及び製造上の欠点を有することに対し、その根本の問題が内部の部品の位置設計が妥当でないことに起因することを鑑み、分離可能に組み合わせられるＬＥＤランプの設計に着手し、故障しやすい部品を外部に設け、且つそれを交換できるようにし、コストダウンできるのみならず、内部のロングライフ部品を継続して使用できるようにする。
【０００６】
ゆえに、本考案の主要な目的は、一種の分解可能なＬＥＤランプを提供し、並びに損壊しやすい電子部品を外部よりのキャップ内に設け、この損壊しやすい電子部品に損壊が発生した時は、外部のキャップモジュールを交換すれば使用可能な状態に回復し、使用寿命が比較的長い部品を継続使用でき、コストダウンし並びに環境保護の要求に符合するようにすることにある。
【課題を解決するための手段】
【０００７】
本考案のＬＥＤランプは、
透明材料で形成された管状体であるチューブと、
該チューブ内に設置されて一側面に複数のＬＥＤが並列するように設けられ、該チューブの両端部を通り突出する二つの接続端子が両側に設けられた回路板と、
該チューブの両端部に可動式に嵌合された二つのキャップと、
該キャップ内に取付けられて、内側に一組の内部コネクタを具え、外側に外部コネクタを具え、該外部コネクタが該キャップを通り突出する電源供給回路と、
を包含したことを特徴とする。
【考案の効果】
【０００８】
本考案のＬＥＤランプは、分解可能なＬＥＤランプであり、損壊しやすい電子部品が外部よりのキャップ内に設けられ、この損壊しやすい電子部品に損壊が発生した時は、外部のキャップモジュールを交換すれば使用可能な状態に回復し、使用寿命が比較的長い部品を継続使用でき、コストダウンし並びに環境保護の要求に符合する。
【図面の簡単な説明】
【０００９】
【図１】本考案の実施例の立体分解図である。
【図２】本考案の実施例の平面断面分解図である。
【図３】本考案の実施例の平面組み合わせ図である。
【考案を実施するための形態】
【００１０】
以下に本考案の内容を明確にご理解いただくため、図面を組み合わせて説明する。
図１、２を参照されたい。本考案は、
透明材料で形成された管状体であるチューブ１０と、
該チューブ１０内に設置されて一側面に複数のＬＥＤ２１が並列するように設けられ、該チューブ１０の両端部を通り突出する二つの接続端子２２が両側に設けられた回路板２０と、
該チューブ１０の両端部に嵌合されて断面がコ字形を呈する二つのキャップ３０と、
該キャップ３０内に取付けられて、内側に一組の内部コネクタ４２を具え、外側に外部コネクタ４１を具え、該外部コネクタ４１が該キャップ３０を通り突出する電源供給回路４０と、
を包含する。
【００１１】
そのうち、該キャップ３０と該チューブ１０の両端の接合は、添付の図面では緊迫嵌合によるが、螺合による接合も可能である。
【００１２】
図１、２、３に示されるように、本考案のチューブ１０と、ＬＥＤ２１を具えた回路板２０とは、損壊しにくい部品であり、該電源供給回路４０は温度、湿度あるいは接触により故障しやすい。電源供給回路４０が故障した時、キャップ３０をチューブ１０の両端より抜き取ると、それと一体に電源供給回路４０も抜き取られ、すなわち、一組の新しい電源供給回路４０を具えたキャップ３０に交換でき、使用上、充分に便利で、交換が容易であり、且つ、耐久性のある部品、特に高価なチューブ１０及びＬＥＤ２１を具えた回路板２０を保留して継続使用できるため、コストを削減できる。
【００１３】
ただし、以上に述べたことは本考案の好ましい実施例の説明に過ぎず、並びに本考案の実施範囲を限定するものではなく、当業者であれば、同じ効果の、或いは軽易な変更を加えることが可能であり、例えば、キャップとチューブの間の簡易嵌合方式の変更、或いは回路板上の二つの接続端子の接合の同じ効果を有するものへの置換等、本考案の精神と範囲の下でなし得る同等の変更と修飾はいずれも本考案の請求範囲に属するものとする。
【符号の説明】
【００１４】
１０  チューブ          ２０  回路板
２１  ＬＥＤ            ２２  接続端子
３０  キャップ          ４０  電源供給回路
４１  外部コネクタ      ４２  内部コネクタ
【図１】
0003154200.tif 000003
【図２】
0003154200.tif 000004
【図３】
0003154200.tif 000005